(57)【要約】      （修正有）【課題】屋外で長時間にわたりスケッチをする様な場合に、折畳み椅子に簡単に取り付けられる日傘の保持具を提供する。【解決手段】椅子と支柱の固定部品にコイルスプリングを使ったことによって、支柱の取り付けが容易になり、支柱を抜き去った後も、この固定部を椅子に取り付けたまま収納することができるようになった。支柱と傘の固定部はノブボルト１４の操作で傘の傾きを前後に約４５°動かすことができるので、支柱部の上下動と合わせるといかなる方向からの太陽直射にも対応し得る。しかも、シンプルな構造であるため操作はいたって簡単である。【選択図】図２
0003158206.tif 000002
【実用新案登録請求の範囲】
【請求項１】
「図１」で示した折畳み椅子と支柱の固定部にコイルスプリングを使ったこと。
普通、２つの金属片をノブボルトで締め付ければくぼみ（１）のところに挟んだ２本のパイプはしっかりと固定される。しかし、ノブボルト（４）を緩め支柱を抜き去ると、この金具は椅子のパイプを挟む力を失い折畳み椅子からも抜け落ちてしまう。これでは毎回この金具を椅子からはずして保管し、使うたびに取り付け直す必要がある。しかも、椅子のパイプと支柱のパイプの両方を挟むまでこの固定部から手を離せない。そこで、２つの金属片の間にコイルスプリングを挟んでノブボルトを通すようにした。こうすることによって、支柱を抜き去った後もスプリングの反発力が働いて椅子のパイプから脱落しない。
従って、この金具は折畳み椅子に付けたまま収納することができ、支柱の取り付け作業が格段に容易になる。
【請求項２】
「図２」で示した傘の傾斜調整部の２軸同時固定方式について。
普通であれば傘の柄の締め付けと傾斜角調整の２つの働きをそれぞれに締め付けることになるのであるが、それでは操作が面倒になるうえコンパクトに作ることができない。小さな固定用部品（Ｃ）がノブボルトを締めることによって、くぼみ（１２）で傘の柄を、斜めに切った部分で回転軸（８）を同時に締め付けることができる。
【考案の詳細な説明】
【技術分野】
【０００１】  本考案は、日向で長時間にわたりスケッチをしたりする場合に、折畳み椅子の脚部を利用して支柱を立て、これに日傘を取り付け、日傘の高さ、向き、傾きを容易に変えられるようにしたものである。
【背景技術】
【０００２】  従来、折畳み椅子に簡単に傘を取り付けられる保持具はなかった。
【考案の概要】
【考案が解決しようとする課題】
【０００３】  スケッチという行為を考えた場合、重く大きな椅子や日傘を持ち運びできないことが多く、小さな折り畳み椅子、可能な限り大きな日傘を運びたいと思うものである。
従って、日傘を支える器具が大きく重くては困る。
日傘の高さ、向き、傾きが自由にしかも簡単に変えられるならば、傘は小さくても、その効果は大きくなると考えてこの日傘保持具を設計した。
【課題を解決するための手段】
【０００４】  このセットは支柱取り付け金具２個、２分割支柱１本、傘取り付け金具１個の４点で構成されている。
支柱取り付け金具は半円柱板２個に折疂み椅子のパイプと支柱のパイプをそれぞれに挟む窪みをつけ、２枚の間に入れたスプリングを介して固定するノブボルとから構成されている。
傘取り付け金具は支柱を通し、水平回転と高さを調整する部分と日傘の傾斜角を変える部分とからできている。
傘の高さ、向き、傾斜の三つの動きはこの部分の２個のノブボルトで自由に調整できるようにした。
【考案の効果】
【０００５】  傘を左右に振り、傾きを前後に約４５°傾けることができるうえ、支柱は折り畳み椅子の左右何れのパイプにも取り付けができ、高さの調節も簡単で使いやすい。
【考案を実施する場合の形態】
【０００６】  以下、本考案の実施の形態について、図面を参照しつつ説明する。まず「図１」の支柱取り付け金具は図の半円筒を加工した２個を一組とし、両端には支柱と椅子のパイプを保持するための窪み（１）を設けてある。また１つの中央には７ｍｍ穴（２）を、他の中央には６ｍｍタップ（３）を切り、ノブボルト（４）で椅子のパイプと支柱が確実に固定できるようにした。
また、この金具は平素折り畳み椅子に取り付けたまま収納できるようにし、ボルトを緩めても椅子から外れないようにするため２枚の金具の間にコイルスプリング（５）を挟んでボルトを通してある。（取り付けには同じもの２個を使用する。）
【０００７】  次に、「図２」の傘取り付け金具は３つの部分から出来ている。左に示した部品には支柱を通す穴（７）があり、固定のためのノブボルト（６）用の６ｍｍタップが切ってある（図では見えない）。反対側は右の部分がかぶさり回転できる回転軸（８）となっていて、この部分には傘保持部の脱落防止と回転制御のキー溝（９）がある。
傘の保持部は２つの部分から構成されている。１つは円筒部分と半円筒部分からなっていて半円筒部分には日傘を保持する窪み（１２）があり、ノブボルト用の６ｍｍタップ（１１）とキーボルト（１０）用の６ｍｍタップが切ってある。
もう１個の小さな部品にも日傘を保持する窪み（１２）とノブボルトを通す７ｍｍの穴（１３）がある。ノブボルト（１４）を締めると日傘が固定され、同時に回転軸（８）を締め付ける仕組みである。
【０００８】  図は省略するが、支柱には太さ１３ｍｍ、長さ約１００ｃｍのステンレスパイプを使用し、中央部に接続部を設け２分割できるようにした。
【図面の簡単な説明】
【０００９】
【図１】折畳み椅子に支柱を固定する部分の組立図である。
【図２】支柱に傘を固定する部分の分解組立図である。
【符号の説明】
【００１０】１  （支柱を折畳み椅子に取り付ける）くぼみ
２  （６ｍｍボルト用の軸方向に長い）穴
３  （６ｍｍボルト用）タップ
４  （椅子に支柱を固定する）ノブボルト
５  コイルスプリング
６  （支柱に固定する）ノブボルト
７  支柱を通す穴
８  傘保持部回転軸
９  （傘の傾きを変える）キー溝
１０  キーボルト
１１  （６ｍｍボルト用）タップ
１２  （傘保持部）くぼみ
１３  （６ｍｍボルト用）Ｍ７穴
１４  （傘保持と傾き固定用）ノブボルト
【図１】
0003158206.tif 000003
【図２】
0003158206.tif 000004
【手続補正書】
【提出日】平成21年12月18日(2009.12.18)
【手続補正１】
【補正対象書類名】実用新案登録請求の範囲
【補正対象項目名】全文
【補正方法】変更
【補正の内容】
【実用新案登録請求の範囲】
【請求項１】
支柱固定金具はパイプを縦割りした２片、コイルスプリング、ノブボルトで構成されていて、パイプを縦割りした２片の両端近くには椅子のパイプを挟むくぼみと支柱を挟むくぼみが設けてあり、一方の中央にはノブボルトに合ったタップが、他方の中央にはノブボルトを通す穴があけてあり、タップのある半割パイプ→コイルスプリング→穴のある半割りパイプ→ノブボルトの順で固定されたスケッチ用日傘保持具。
【請求項２】
日傘保持部のうち支柱への取り付け部分は支柱を通す穴と固定用ノブボルト、日傘の傾きを調節するキー溝を備えた回転軸から構成され、日傘保持部分は回転軸にかぶさる円柱部分にキーボルトがあり、縦割りされている他端には日傘を保持するくぼみ、中央部にノブボルトに合ったタップが切られており、パイプから切り取った押さえ金具にはくぼみとノブボルトが通る穴を設けてあり、まず支柱を取り付け部分の穴に通し、ノブボルトで固定し、次に回転軸に日傘保持部分のパイプをかぶせ、キーボルトをキー溝に合わせて締めて日傘の柄をくぼみに通し、ノブボルトを締めることによって押さえ金具の一端が日傘の柄を押さえると同時に他端が回転軸を押さえ、柄の傾きも固定するスケッチ用日傘保持具。